(57)【要約】【課題】  本発明は、撮影シーンに適した撮影条件を容易に設定できる撮像装置を提供する。【解決手段】  撮像装置は、撮像素子と、音声入力部と、音声認識部と、データベースと、抽出部と、選択部と、表示制御部と、受付部とを備える。撮像素子は、被写体の像を撮像して画像を生成する。音声入力部は、音声の入力を受け付ける。音声認識部は、音声から音声情報を認識する。データベースは、被写体の撮影シーンを識別する識別情報を階層的に分類付けて記憶する。抽出部は、音声情報に対応する識別情報をデータベース内で検索して抽出する。選択部は、抽出部が抽出した識別情報に基づいて、撮影シーンに適した撮影条件を示す撮影モードの候補を選択する。表示制御部は、選択部が選択した撮影モードの内容を表示装置に表示させる。受付部は、撮影モードの何れかの選択入力を受け付ける。【選択図】    図１
2013207543.tif 000002
【特許請求の範囲】
【請求項１】
被写体の像を撮像して画像を生成する撮像素子と、
音声の入力を受け付ける音声入力部と、
前記音声から音声情報を認識する音声認識部と、
前記被写体の撮影シーンを識別する識別情報を階層的に分類付けて記憶するデータベースと、
前記音声情報に対応する前記識別情報を前記データベース内で検索して抽出する抽出部と、
前記抽出部が抽出した前記識別情報に基づいて、前記撮影シーンに適した撮影条件を示す撮影モードの候補を選択する選択部と、
前記選択部が選択した前記撮影モードの内容を表示装置に表示させる表示制御部と、
前記撮影モードの何れかの選択入力を受け付ける受付部と、
を備えることを特徴とする撮像装置。
【請求項２】
請求項１に記載の撮像装置において、
前記識別情報は、前記撮影シーンの設定項目毎に点数化されたキーワードを１つ以上有するツリー状のデータ構造を有し、
前記音声認識部は、前記音声情報から前記キーワードを認識し、
前記抽出部は、前記音声認識部が認識した前記キーワードに基づいて前記データベース内の階層を上層から下層に向けて検索して、前記キーワードを抽出し、
前記選択部は、前記データベース内の階層を下層から上層に向けて辿ることにより、抽出された前記キーワード毎に点数を加算し、前記撮影モードの候補を前記点数の多い順に選択することを特徴とする撮像装置。
【請求項３】
請求項２に記載の撮像装置において、
前記抽出部は、前記データベース内の特定の階層に絞り込んで検索して、前記キーワード又は該キーワードに関連するキーワードを抽出することを特徴とする撮像装置。
【請求項４】
請求項２又は請求項３に記載の撮像装置において、
前記キーワードは、該キーワードに応じて重み付けして点数化されていることを特徴とする撮像装置。
【請求項５】
請求項１から請求項４の何れか１項に記載の撮像装置において、
前記音声を入力するための指示入力を押圧操作により受け付ける操作ボタンをさらに備え、
前記音声入力部は、前記操作ボタンが前記指示入力の押圧操作を受け付けている間、前記音声の入力を受け付けることを特徴とする撮像装置。
【発明の詳細な説明】
【技術分野】
【０００１】
本発明は、電子カメラ等の撮像装置に関する。
【背景技術】
【０００２】
従来、音声を認識して、その音声による指示入力に従ってカメラ内部の制御を行なう電子カメラが知られている（例えば、特許文献１参照）。
【先行技術文献】
【特許文献】
【０００３】
【特許文献１】特開平７−８４３０２号公報
【発明の概要】
【発明が解決しようとする課題】
【０００４】
ところで、電子カメラの撮影において、ユーザが撮影シーンに適した撮影条件を音声入力で設定する際、撮影条件によっては細かい設定をする必要が生じ、手間取る場合がある。
【０００５】
そこで、本発明は、上記事情に鑑み、撮影シーンに適した撮影条件を容易に設定できる撮像装置を提供することを目的とする。
【課題を解決するための手段】
【０００６】
第１の発明に係る撮像装置は、撮像素子と、音声入力部と、音声認識部と、データベースと、抽出部と、選択部と、表示制御部と、受付部とを備える。撮像素子は、被写体の像を撮像して画像を生成する。音声入力部は、音声の入力を受け付ける。音声認識部は、音声から音声情報を認識する。データベースは、被写体の撮影シーンを識別する識別情報を階層的に分類付けて記憶する。抽出部は、音声情報に対応する識別情報をデータベース内で検索して抽出する。選択部は、抽出部が抽出した識別情報に基づいて、撮影シーンに適した撮影条件を示す撮影モードの候補を選択する。表示制御部は、選択部が選択した撮影モードの内容を表示装置に表示させる。受付部は、撮影モードの何れかの選択入力を受け付ける。
【０００７】
第２の発明は、第１の発明において、識別情報は、撮影シーンの設定項目毎に点数化されたキーワードを１つ以上有するツリー状のデータ構造を有する。音声認識部は、音声情報からキーワードを認識する。抽出部は、音声認識部が認識したキーワードに基づいてデータベース内の階層を上層から下層に向けて検索して、キーワードを抽出する。選択部は、データベース内の階層を下層から上層に向けて辿ることにより、抽出されたキーワード毎に点数を加算し、撮影モードの候補を点数の多い順に選択する。
【０００８】
第３の発明は、第２の発明において、抽出部は、データベース内の特定の階層に絞り込んで検索して、キーワード又はそのキーワードに関連するキーワードを抽出する。
【０００９】
第４の発明は、第２又は第３の発明において、キーワードは、そのキーワードに応じて重み付けして点数化されている。
【００１０】
第５の発明は、第１から第４の何れか１の発明において、操作ボタンをさらに備える。操作ボタンは、音声を入力するための指示入力を押圧操作により受け付ける。音声入力部は、操作ボタンが指示入力の押圧操作を受け付けている間、音声の入力を受け付ける。
【発明の効果】
【００１１】
本発明の撮像装置は、撮影シーンに適した撮影条件を容易に設定できる。
【図面の簡単な説明】
【００１２】
【図１】撮像装置の一例である電子カメラ１の構成例を説明するブロック図
【図２】電子カメラ１の筐体の背面図
【図３】データベース１８ａのデータ構造の一例を示す図
【図４】設定項目とキーワードとの関係を説明する図
【図５】電子カメラ１の動作の一例を示すフローチャート
【図６】表示モニタ２０の表示例を示す図
【図７】絞り込み検索処理の初期画面の表示例を示す図
【図８】撮影モードと撮影条件との関係の一例を説明する図
【発明を実施するための形態】
【００１３】
以下、図面に基づいて本発明の実施の形態を詳細に説明する。
【００１４】
図１は、撮像装置の一例である電子カメラ１の構成例を説明するブロック図である。ここで、電子カメラ１は、音声入力によるアシスト機能を有している。アシスト機能では、例えば、撮影前にユーザが複数の単語からなるコメントを述べた場合、そのコメントに応じて撮影シーンに適した撮影条件を示す撮影モードの候補を後述する表示モニタ２０に表示する。これにより、ユーザは、撮影モードを選択することができる。そして、電子カメラ１は、撮影モードに基づいて、撮影シーンに適した撮影条件を設定する。
【００１５】
電子カメラ１は、例えば一眼レフレックス方式の電子カメラであり、撮影レンズユニット５０とカメラ本体１００とを有している。撮影レンズユニット５０は、被写体光をカメラ本体１００に導くために、カメラ本体１００の前面に形成されたレンズマウント１００ａに着脱自在に取り付けられる。これにより、カメラ本体１００と撮影レンズユニット５０とが電気的に接続される。
【００１６】
撮影レンズユニット５０は、レンズ系５１及び絞り５２を有している。レンズ系５１は、フォーカスレンズやズームレンズを含む複数枚のレンズにより構成される。ここでは、説明の便宜上１枚のレンズで図示する。レンズ系５１は、一点鎖線で示す光軸ＯＡ（ｏｐｔｉｃａｌ  ａｘｉｓ）方向の位置がレンズ駆動回路（不図示）により調節される。絞り５２は、カメラ本体１００への入射光量を絞り羽根の開閉で調整する。
【００１７】
カメラ本体１００は、クイックリターンミラー１０と、ペンタダハプリズム１１と、接眼レンズ１２と、ファインダ１３と、撮像素子１４と、信号処理部１５と、ＲＡＭ（Ｒａｎｄｏｍ  Ａｃｃｅｓｓ  Ｍｅｍｏｒｙ）１６と、画像処理部１７と、フラッシュメモリ１８と、記録インターフェース部（以下、「記録Ｉ／Ｆ部」という。）１９と、表示モニタ２０と、レリーズ釦２１と、操作部２２と、音声処理部２３と、スピーカ２４と、マイク２５と、閃光発光部２６と、ＣＰＵ（Ｃｅｎｔｒａｌ  Ｐｒｏｃｅｓｓｉｎｇ  Ｕｎｉｔ）２７と、バス２８とを備える。
【００１８】
このうち、信号処理部１５、ＲＡＭ１６、画像処理部１７、フラッシュメモリ１８、記録Ｉ／Ｆ部１９、表示モニタ２０、音声処理部２３及びＣＰＵ２７は、バス２８を介して互いに接続されている。
【００１９】
クイックリターンミラー１０は、光軸ＯＡ上に回動自在に設けられる。なお、クイックリターンミラー１０は、被写体の撮像を行なわない場合、ミラー制御部（不図示）により光軸ＯＡに対して斜めの位置に配置される。この場合、クイックリターンミラー１０は、レンズ系５１を介してカメラ本体１００に入射された被写体光を受光し、その被写体光を反射させてペンタダハプリズム１１に導く。
【００２０】
一方、被写体を撮像する撮像時には、クイックリターンミラー１０は、回動により図の点線で示す位置に退避する。これにより、カメラ本体１００に入射された被写体光は、撮像素子１４に導かれる。
【００２１】
ペンタダハプリズム１１は、クイックリターンミラー１０により反射された被写体光を接眼レンズ１２に導く。接眼レンズ１２は、ペンタダハプリズム１１により導かれた被写体光を被写体像として結像する。ユーザは、光学式のファインダ１３を介して、接眼レンズ１２により結像される被写体像を見ることで、被写体の構図やフレーム等を判断できる。
【００２２】
撮像素子１４は、被写体の像を撮像して画像を生成する。撮像素子１４は、例えばＣＣＤ（Ｃｈａｒｇｅ  Ｃｏｕｐｌｅｄ  Ｄｅｖｉｃｅ）型のカラーイメージセンサである。なお、撮像素子１４は、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏr）型のカラーイメージセンサであっても良い。信号処理部１５は、例えば、アナログフロントエンド（ＡＦＥ）回路と、Ａ／Ｄ変換部と、デジタルフロントエンド（ＤＦＥ）回路とを有している。
【００２３】
ＡＦＥ回路は、撮像素子１４が出力する画像信号に対してアナログ信号処理を施す。Ａ／Ｄ変換部は、アナログの画像信号をデジタルの画像信号に変換する。ＤＦＥ回路は、Ａ／Ｄ変換後の画像信号にデジタル信号処理を施す。なお、信号処理部１５が出力する画像信号は、画像データとしてＲＡＭ１６に一時的に記録される。
【００２４】
ＲＡＭ１６は、バッファメモリの機能を有し、画像データを一時的に記録する。さらに、ＲＡＭ１６は、ＣＰＵ２７の処理の過程で生成した画像データ等を一時的に記録する。
【００２５】
画像処理部１７は、ＲＡＭ１６に記録されている画像データを読み出し、各種の画像処理（例えば、オートホワイトバランス処理（以下「ＡＷＢ処理」という。）、輪郭強調処理等）を施す。
【００２６】
フラッシュメモリ１８は、不揮発性のメモリであって、例えば、電子カメラ１の制御を行なうプログラムを予め記憶している。また、フラッシュメモリ１８は、データベース１８ａを有する。データベース１８ａは、被写体の撮影シーンを識別する識別情報を階層的に分類付けて記憶する。ここで、識別情報は、撮影シーンの設定項目毎に点数化されたキーワードを１つ以上有するデータ構造を有している（詳細は後述する）。
【００２７】
また、フラッシュメモリ１８は、後述する音声認識部２７ａが音声情報を認識するための辞書データを予め記憶している。
【００２８】
記録Ｉ／Ｆ部１９は、データの書き込みや読み出しのインターフェースを提供する。記録Ｉ／Ｆ部１９には、着脱自在の記録媒体３０を接続するためのコネクタ（不図示）が形成されている。そして、記録Ｉ／Ｆ部１９は、例えば、そのコネクタに接続された記録媒体３０にアクセスして画像のデータの記録処理を行なう。
【００２９】
表示モニタ２０は、例えば液晶表示媒体により構成される。また、表示モニタ２０は、ＣＰＵ２７の指示に応じて、例えば画像や電子カメラ１の操作メニュー等を表示する。
【００３０】
レリーズ釦２１は、半押し操作の指示入力と全押し操作（撮像動作開始）との指示入力とを受け付ける。操作部２２は、ユーザの操作を受け付ける複数のボタン等を有しており、電子カメラ１を操作するための指示入力を受け付ける。ここで、操作部２２について、図２を参照して説明する。
【００３１】
図２は、電子カメラ１の筐体の背面図である。電子カメラ１の筐体の背面には、ファインダ１３と、表示モニタ２０と、スピーカ２４と、マイク２５と、音声入力ボタン２２ａと、十字キー２２ｂとが備えられている。また、電子カメラ１の筐体の上面には、レリーズ釦２１と電源ボタン２２ｃとが備えられている。ここで、音声入力ボタン２２ａ、十字キー２２ｂ及び電源ボタン２２ｃは、操作部２２の一例を示している。
【００３２】
音声入力ボタン２２ａは、音声を入力するための指示入力を押圧操作により受け付ける。マイク２５は、音声入力ボタン２２ａが指示入力の押圧操作を受け付けている間、ユーザの音声を受け付ける。十字キー２３ｂは、電子カメラ１の操作メニューの設定条件を選択若しくは選択された処理を実行する操作キーである。例えば、十字キー２３ｂは、表示モニタ２０に表示された撮影モードの何れかの選択入力を受け付ける。なお、スピーカ２４、マイク２５の数や配置は、一例であって、例えば、スピーカ２４、マイク２５が電子カメラ１の筐体の上面に備えられていても良い。
【００３３】
再び、図１の説明に戻り、音声処理部２３は、マイク２５を介して入力されたアナログの音声信号をデジタルの音声信号に変換する。また、音声処理部２３は、音声信号をスピーカ２４を介して音声に変換し、その音声の出力処理を行なう。
【００３４】
閃光発光部２６は、ＣＰＵ２７の指示により本撮影時に閃光発光を行なう。閃光発光部２６には、例えばキセノン管が備えられており、このキセノン管の放電により閃光発光を行なう。
【００３５】
ＣＰＵ２７は、各種演算及び電子カメラ１の制御を行なうプロセッサである。ＣＰＵ２７は、フラッシュメモリ１８に予め格納されたシーケンスプログラムを実行することにより、電子カメラ１の各部の制御等を行なう。
【００３６】
また、ＣＰＵ２７は、音声認識部２７ａと、抽出部２７ｂと、選択部２７ｃと、表示制御部２７ｄとしても機能する。
【００３７】
音声認識部２７ａは、音声入力部２３が受け付けた音声の内容を認識する。具体的には、音声認識部２７ａは、音声処理部２３によりデジタル変換された音声信号の時間変化に伴う波形（音声の波形データ）を、声紋情報として抽出する。或いは、音声認識部２７ａは、例えば音声信号を解析するためのＦＦＴ（フーリエ変換）処理等によって、声紋情報として、入力された音声の特徴量（音量、音程、周波数等）を抽出しても良い。或いは、音声認識部２７ａは、声紋情報として、ＦＦＴ処理等によって入力された音声のスペクトル（例えばフォルマント）等を抽出しても良い。そして、音声認識部２７ａは、声紋情報（音声情報）を解析して、音声の内容をテキストデータに変換して認識する。
【００３８】
抽出部２７ｂは、音声情報に対応する識別情報をデータベース１８ａ内で検索して抽出する。ここで、識別情報は、撮影シーンの設定項目毎に点数化されたキーワードを１つ以上有するツリー状のデータ構造を有している。抽出部２７ｂは、音声認識部２７ａの認識結果に基づいて、データベース１８ａを検索する。
【００３９】
図３は、データベース１８ａのデータ構造の一例を示す図である。データベース１８ａは、撮影シーンに適した撮影モードを選択するためのデータベースである。データベース１８ａは、撮影シーンの下位概念として、第１層、第２層、・・・第ｎ層というようにツリー状の階層からなるデータ構造を有している。図３では、第３層までのデータ構造を表している。具体例として、第１層は、景色、人物、スポーツ・動体等の撮影シーンの設定項目からなる。第２層は、例えば、景色（第１層）の下層の場合、自然、都会、近景等の撮影シーンの設定項目からなる。第３層は、例えば、自然（第２層）の下層の場合、山、海岸・湖等の撮影シーンの設定項目からなる。なお、図３に示すデータ構造は、一例であって、このデータ構造に限定されるものではない。例えば、第１層には、夕焼け、夜景等の撮影シーンの設定項目があっても良い。
【００４０】
図４は、設定項目とキーワードとの関係を説明する図である。データベース１８ａは、設定項目毎に複数のキーワード（キーワード群）からなるキーワードデータベースを有することを特徴とする。
【００４１】
具体例として、データベース１８ａは、景色（第１層）の下層の自然（第２層）を例にすると、自然が豊かな地名を示すキーワード（地名ＡＡ〜地名ＮＮ等）を複数登録してキーワードデータベースを構成する。また、データベース１８ａは、都会（第２層）を例にすると、都会を示す地名のキーワード（地名Ａ〜地名Ｎ等）を複数登録してキーワードデータベースを構成する。また、データベース１８ａは、景色（第１層）の下層の近景（第２層）を例にすると、近景を示すキーワードを複数登録してキーワードデータベースを構成する。
【００４２】
また、データベース１８ａは、図４に示す通り、第３層の設定項目（山、海岸・湖、建築物、公園、ポートレート、人物）毎にキーワードデータベースを構成する。なお、図３において、人物（第１層）、スポーツ・動体（第１層）についても、設定項目毎にキーワードデータベース（不図示）を構成する。
【００４３】
つまり、データベース１８ａは、設定項目毎のキーワードデータベースに撮影シーンにふさわしいキーワードを複数登録している。なお、データベース１８ａの階層構造において、階層が異なれば、同じ名前の設定項目があっても良い。また、データベース１８ａでは、同じ名前の設定項目の場合、各々のキーワードデータベースに有するキーワードは同じであっても良いし、異なっていても良い。データベース１８ａの検索方法については後述する。また、第１層については、設定項目名を１つのキーワードとしても良い。そこで、本実施形態では、第１層については、第１層の設定項目名をキーワードデータベースのキーワードとする。また、本実施形態では、キーワードデータベースのキーワードについて、ユーザ入力により、追加又は削除しても良い。
【００４４】
また、抽出部２７ｂは、データベース１８ａ内の特定の階層に絞り込んで検索して、キーワード又はそのキーワードに関連するキーワードを抽出しても良い。
【００４５】
選択部２７ｃは、データベース１８ａの検索結果に基づいて、撮影モードを選択する。表示制御部２７ｄは、一例として、選択部２７ｃが選択した撮影モードの内容を表示モニタ２０に表示させる。
【００４６】
次に、電子カメラ１の動作の一例を説明する。
【００４７】
図５は、電子カメラ１の動作の一例を示すフローチャートである。以下の動作例では、撮影モードの設定を行なうためのアシスト機能が選択されると、ＣＰＵ２７は、図５に示すフローチャートの処理（以下「フローの処理」という。）を開始する。
【００４８】
ステップＳ１０１：ＣＰＵ２７は、音声入力処理を行なう。具体的には、ＣＰＵ２７が音声処理部２３に指示を出すことにより、音声処理部２３は、音声入力ボタン２２ａのオンの押圧操作を受け付けている間、マイク２５を介してユーザの音声を受け付ける。これにより、音声処理部２３は、撮影モードの選択に不要な音声の入力を受け付けずに済むので、音声認識部２７ａは、キーワードの抽出が容易となる。
【００４９】
ステップＳ１０２：ＣＰＵ２７は、音声入力処理が終了したか否かを判定する。具体的には、音声入力ボタン２２ａのオンの押圧操作が解除された場合、ＣＰＵ２７は、音声入力の終了と判定し（ステップＳ１０２：Ｙｅｓ）、ステップＳ１０３の処理に移行する。一方、音声入力ボタン２２ａのオンの押圧操作が解除されない場合、ＣＰＵ２７は、音声入力中と判定し（ステップＳ１０２：Ｎｏ）、ステップＳ１０１の処理に戻る。
【００５０】
ステップＳ１０３：ＣＰＵ２７の音声認識部２７ａは、音声認識処理を行なう。具体的には、音声認識部２７ａは、音声信号を解析するためのＦＦＴ（フーリエ変換）処理等によって、声紋情報として、入力された音声の特徴量（音量、音程、周波数等）を抽出する。そして、音声認識部２７ａは、声紋情報（音声情報）を解析して、音声の内容をテキストデータに変換して認識する。続いて、音声認識部２７ａは、テキストデータから撮影シーンの設定項目のキーワードを抽出する。ＣＰＵ２７は、音声認識部２７ａにより抽出されたキーワードを一時的にＲＡＭ１６に記録する。
【００５１】
ステップＳ１０４：ＣＰＵ２７の抽出部２７ｂは、データベース１８ａの検索処理及びキーワードの抽出処理を行なう。具体的には、先ず、抽出部２７ｂは、図３に示すデータベース１８ａの検索処理を開始する。この場合、抽出部２７ｂは、音声認識部２７ａにより抽出されたキーワードに基づいて、データベース１８ａの階層構造を上層から下層に向けて設定項目毎にキーワードの有無を検索する。これにより、抽出部２７ｂは、設定項目毎に一致するキーワードを抽出する。
【００５２】
例えば、音声認識部２７ａにより抽出されたキーワードの１つが、「地名Ａ」であった場合、抽出部２７ｂは、第１層の景色の設定項目内のキーワードデータベース内に「地名Ａ」が登録されているか否かを検索する。
【００５３】
さらに、抽出部２７ｂは、第２層（自然、都会、近景）の設定項目毎に、各々のキーワードデータベース内に「地名Ａ」が登録されているか否かを検索する。続いて、抽出部２７ｂは、第３層（山、海岸・湖、建築物、公園、ポートレート、人物）の設定項目毎に、各々のキーワードデータベース内に「地名Ａ」が登録されているか否かを検索する。
【００５４】
また、抽出部２７ｂは、同様にして、第１層の設定項目（人物、スポーツ・動体）についても、データベース１８ａの階層を上層から下層に向けて設定項目毎にキーワードの有無を検索する。
【００５５】
すなわち、抽出部２７ｂは、音声認識部２７ａにより抽出されたキーワード毎に、上記の処理を繰り返す。そして、抽出部２７ｂは、音声認識部２７ａにより抽出されたキーワードと一致したキーワードを対応付けてＲＡＭ１６に記録する。なお、抽出部２７ｂは、キーワードによっては、一致するキーワードに限られず、関連するキーワードについても抽出しても良い。例えば、抽出部２７ｂは、「叔母」というキーワードについて、「女性」というキーワードについても抽出しても良い。この場合、データベース１８ａでは、関連するキーワード同士を予め登録しておくこととする。
【００５６】
ここでは、説明をわかりやすくするため、ユーザが、「地名Ａの路地で叔母を撮影する。」と発声したとする。この場合、音声認識部２７ａは、音声に基づくキーワードとして、「地名Ａ」、「路地」、「叔母」を抽出する。そして、「地名Ａ」をキーワードとして含む設定項目は、図４に示す通り、景色（第１層）の下位の層である都会の１つである。また、「路地」をキーワードとして含む設定項目は、図４に示す通り、景色（第１層）の下位の層である都会、近景の２つの設定項目である。また、「叔母」又は「叔母に関連する単語」をキーワードとして含む設定項目は、図４に示す通り、景色（第１層）の下位の層である近景（第２層）、ポートレート（第３層）である。なお、「叔母」又は「叔母に関連する単語」のキーワードは、説明の便宜上、図示しないが、人物（第１層）の下位の層である女性（第２層）にもあることとする。
【００５７】
ステップＳ１０５：ＣＰＵ２７の選択部２７ｃは、抽出部２７ｂによるデータベース１８ａの検索結果に基づいて、以下に説明する演算処理を行なう。
【００５８】
本実施形態では、演算処理を行なうため、キーワードに点数を予め付与して置く。一例として、本実施形態では、全てのキーワードに１点を予め付与しておく。なお、本実施形態では、キーワードに応じて重み付けして点数化しても良い。これにより、本実施形態では、頻度の高いキーワードに対して点数を高くすることにより、頻度の高いキーワードに対応する撮影条件を設定しやすくすることができる。
【００５９】
ここで、選択部２７ｃは、データベース１８ａ内の階層を下層から上層に向けて辿ることにより、抽出されたキーワード毎に点数を加算する処理を行なう。具体的には、「地名Ａ」の場合、第３層には、「地名Ａ」をキーワードデータベースに含む設定項目はない。しかし、第２層には、都会の設定項目のキーワードデータベースに「地名Ａ（１点）」がある。さらに、第１層には、「地名Ａ」の上位概念となる「景色（１点）」がある。そこで、選択部２７ｃは、「地名Ａ」について、２点をカウントする。
【００６０】
また、「路地」の場合、第２層の都会、近景の設定項目のキーワードデータベースに「路地（１点）」がそれぞれある（２点分に相当）。さらに、第１層には、「路地」の上位概念となる「景色（１点）」がある。そこで、選択部２７ｃは、「路地」について３点をカウントする。
【００６１】
また、「叔母」の場合、選択部２７ｃは、「景色（１点）」（第１層）の下位の層である「近景（１点）」（第２層）、「ポートレート（１点）」（第３層）、「人物（１点）」（第１層）の下位の層である「女性（１点）」（第２層）から、５点をカウントする。
【００６２】
そして、選択部２７ｃは、点数の多い順に撮影モードを選択する。この場合、選択部２７ｃは、「叔母（合計５点）」、「路地（合計３点）」、「地名Ａ（合計２点）」の順に撮影モードを選択する。
【００６３】
ここで、選択部２７ｃは、「叔母」について、「叔母」のキーワードを含む設定項目のうちでより下層の設定項目を選択する。この場合、選択部２７ｃは、「叔母」について、ポートレートの撮影モードを選択する。また、選択部２７ｃは、同様にして、「路地」について、「路地」のキーワードを含む設定項目のうちでより下層の設定項目を選択する。この場合、選択部２７ｃは、「路地」については、都会と近景と同じ層内の設定項目であるため、第２層の都会と近景との少なくとも一方の撮影モードを選択する。
【００６４】
また、選択部２７ｃは、同様にして、「地名Ａ」について、「地名Ａ」のキーワードを含む設定項目のうちでより下層の設定項目を選択する。この場合、選択部２７ｃは、「地名Ａ」については、第２層の都会の撮影モードを選択する。つまり、選択部２７ｃは、以上の演算処理により、キーワードを含む設定項目のうちでより下層の設定項目を選択して、撮影モードの候補を選択する。
【００６５】
ステップＳ１０６：ＣＰＵ２７の表示制御部２７ｄは、推奨する撮影モードを表示モニタ２０に表示させる。なお、表示制御部２７ｄが３つの項目を表示させるのは、ユーザへの選択のしやすさを考慮しているためであるが、必ずしも３つの項目に限定されるものではない。
【００６６】
図６は、表示モニタ２０の表示例を示す図である。図６に示す通り、表示制御部２７ｄは、ポートレート、近景、都会の順に撮影モードを表示モニタ２０に表示させる。
【００６７】
ステップＳ１０７：ＣＰＵ２７は、撮影モードの受付けの有無を判定する。撮影モードの受付けが所定時間経過しても無い場合（ステップＳ１０７：Ｎｏ）、ＣＰＵ２７は、後述するステップＳ１１１の処理に移行する。一方、撮影モードの受付けが有り場合（ステップＳ１０７：Ｙｅｓ）、ＣＰＵ２７は、ステップＳ１０８の処理に移行する。
【００６８】
ステップＳ１０８：ＣＰＵ２７は、上位（例えば第１層）の階層の撮影モードの受付けの有無を判定する。ここで、本実施形態では、例えば、ユーザが第１層のキーワードのみが含まれる内容の文を発声した場合を想定して、下位の下層のキーワードを選択するための絞り込み検索を用意している。そこで、上位の階層の撮影モードの受付けが所定時間経過しても無い場合（ステップＳ１０８：Ｎｏ）、ＣＰＵ２７は、後述するステップＳ１１２の処理に移行する。一方、上位の階層の撮影モードの受付けが有りの場合（ステップＳ１０８：Ｙｅｓ）、ＣＰＵ２７は、ステップＳ１０９の処理に移行する。
【００６９】
ステップＳ１０９：ＣＰＵ２７は、絞り込み検索処理の受付けの有無を判定する。
【００７０】
図７は、絞り込み検索処理の初期画面の表示例を示す図である。例えば、ユーザが第１層のキーワード「景色」のみを発声した場合、表示制御部２７ｄは、図７に示す通り、絞り込み検索処理の初期画面を表示モニタ２０に表示させる。
【００７１】
ここで、ユーザ入力により「はい」が選択されると、ＣＰＵ２７は、絞り込み検索処理を受け付ける。また、ユーザ入力により「そのままおまかせ」が選択されると、ＣＰＵ２７は、絞り込み検索処理を受け付けずに本撮影の処理に移行する。
【００７２】
すなわち、絞り込み検索処理の受付けが無い場合（ステップＳ１０９：Ｎｏ）、ＣＰＵ２７は、ステップＳ１１２の処理に移行する。一方、絞り込み検索処理の受付けが有り場合（ステップＳ１０９：Ｙｅｓ）、ＣＰＵ２７は、ステップＳ１１０の処理に移行する。
【００７３】
ステップＳ１１０：抽出部２７ｂは、絞り込み検索処理を行なう。具体的には、音声認識部２７ａは、例えば景色（第１層）の下層の都会を示すキーワードの音声入力を受け付ける。抽出部２７ｂは、データベース１８ａ内の特定の階層に絞り込んで検索して、キーワード又はそのキーワードに関連するキーワードを抽出する。これにより、抽出部２７ｂは、特定の階層として、例えば、都会及び都会の下層のキーワードを抽出することが可能となる。そして、ＣＰＵ２７は、ステップＳ１０６の処理に戻る。なお、ステップＳ１０９の処理において、ユーザ入力により「はい」が選択されると、ＣＰＵ２７は、絞り込み検索の階層レベルをさらにユーザ入力により設定するようにしても良い。例えば、ユーザ入力により階層レベルが第３層に設定された場合、抽出部２７ｂは、ステップＳ１１０の処理において、第３層まで絞り込み検索処理を行なう。
【００７４】
ステップＳ１１１：ＣＰＵ２７は、音声入力の再度やり直しの有無を判定する。音声入力の再度やり直しが有りの場合（ステップＳ１１１：Ｙｅｓ）、ＣＰＵ２７は、ステップＳ１０１の処理に戻る。一方、音声入力の再度やり直しが無しの場合（ステップＳ１１１：Ｎｏ）、ＣＰＵ２７は、ステップＳ１１２の処理に移行する。
【００７５】
ステップＳ１１２：ＣＰＵ２７は、ステップＳ１０７で受け付けた撮影モードによる撮影条件で本撮影を行なう。
【００７６】
図８は、撮影モードと撮影条件との関係の一例を説明する図である。本実施形態では、撮影シーンの設定項目の設定内容について階層が深くなるほど、撮影条件を細かく設定しても良い。例えば、第１層の撮影モードでは、ＣＰＵ２７が撮影シーンに応じて自動的に設定するオート撮影の撮影条件を設定するようにしても良い。一例として、操作部２２が第１層（景色）の撮影モードの選択入力を受け付けた場合、ＣＰＵ２７は、景色のオート撮影の撮影条件を設定する。
【００７７】
また、第２層の撮影モードでは、第１層（景色）の撮影モードに撮影条件に新たな条件を加えても良い。一例として、操作部２２が第２層（近景）の撮影モードの選択入力を受け付けた場合、ＣＰＵ２７は、景色のオート撮影の撮影条件に、焦点調節の距離範囲を１〜３ｍに制限する条件をさらに加えても良い。
【００７８】
また、第３層の撮影モードでは、第２の撮影モードに加えてさらに、撮影条件を細かく設定しても良い。一例として、操作部２２が第３層（ポートレート又は人物）の撮影モードの選択入力を受け付けた場合、ＣＰＵ２７は、焦点調節の距離範囲、ＡＥモード、ＡＷＢ処理、輪郭強調処理等の撮影条件を細かく設定する。これにより、従来、ユーザがマニュアル設定で撮影条件を十字キー等で設定していた場合と比較して、本実施形態では、容易に撮影条件を設定することができる。なお、本実施形態の撮影条件は、例えば、ポートレートの撮影を行なった後の画像処理等についても含めても良いこととする。
【００７９】
したがって、上記の撮影条件が予め設定されている状態で、ＣＰＵ２７は、半押し操作の指示入力により、絞り値、撮像素子１４での電荷蓄積時間（シャッタスピード）、信号処理部１５のゲイン（ＩＳＯ感度）等の撮影パラメータをそれぞれ設定する。その後、ＣＰＵ２７は、全押し操作の指示入力により、撮像素子１４を駆動してアナログの画像信号を生成させる。信号処理部１５は、アナログの画像信号のＡ／Ｄ変換等を行なう。この信号処理部１５が出力するデジタルの画像信号は、ＲＡＭ１６に記録用の画像データとして一旦記録される。そして、画像処理部１７は、ＲＡＭ１６に記録されている画像データを読み出し、必要に応じて各種の画像処理（例えば、ＡＷＢ処理、輪郭強調処理等）を施す。そして、ＣＰＵ２７は、記録Ｉ／Ｆ部１９を介して、画像を記録媒体３０に記録する。そして、ＣＰＵ２７は、図３に示すフローの処理を終了させる。
【００８０】
以上より、本実施形態の電子カメラ１では、音声入力により撮影モードの候補を表示モニタ２０に表示する。これにより、細かい撮影条件を設定したい場合、ユーザは、十字キー等で手間がかかってしまうという問題は生じないで済む。例えば、ユーザが良く使う設定で複数の撮影条件を１つのキーワードに対応付けて最下層のキーワードデータベースに登録していた場合、そのキーワードの点数を重み付けして予め高い値に設定しておく。これにより、ユーザは、そのキーワードを一言発するだけで複数の撮影条件を設定する手間を省くことができる。したがって、電子カメラ１では、撮影シーンに適した撮影条件を容易に設定できる。
【００８１】
（上記の実施形態の補足事項）
（１）上記の実施形態では、本発明の適用可能な撮像装置として、一眼レフレックス方式の電子カメラを例示したが、この方式の電子カメラに限られない。本発明の適用可能な電子機器は、例えば、コンパクト方式の電子カメラ、カメラ機能付き携帯電話機等、静止画をデジタル方式で記録することができる撮像装置が含まれる。
【００８２】
（２）上記の実施形態では、本発明の操作ボタンとして音声入力ボタン２２ａを適用したが、これは一例であって、例えば、公知の抵抗膜方式（感圧式）のタッチパネルを適用しても良い。これにより、ユーザは、表示モニタ２０上のタッチパネルの表面を指で押圧することによって電子カメラ１を操作することができる。この場合、電子カメラ１は、表示モニタ２０の表示画面に音声入力ボタンを表示させて、音声入力ボタン２２ａと同様の処理を行なわせても良い。
【００８３】
（３）上記の実施形態では、ステップＳ１０５の処理において、選択部２７ｃは、データベース１８ａ内の階層を下層から上層に向けて辿ることにより、抽出されたキーワード毎に点数を加算する処理を行なった。この場合、選択部２７ｃは、第１層の設定項目について、例えば、景色、人物、スポーツ・動体別に区分けして、抽出されたキーワード毎に点数を加算するようにしても良い。
【符号の説明】
【００８４】
１・・・電子カメラ、１４・・・撮像素子、２５・・・マイク、２７ａ・・・音声認識部、１８ａ・・・データベース、２７ｂ・・・抽出部、２７ｃ・・・選択部、２７ｄ・・・表示制御部
【図１】
2013207543.tif 000003
【図２】
2013207543.tif 000004
【図３】
2013207543.tif 000005
【図４】
2013207543.tif 000006
【図５】
2013207543.tif 000007
【図６】
2013207543.tif 000008
【図７】
2013207543.tif 000009
【図８】
2013207543.tif 000010